(57)【特許請求の範囲】
【請求項１】
上部に掛止用フック部を設け、下部にケーブル等を引き通し延線するローラー61を下向き略Ｕ字状のローラーフレーム６の先端部間に配し、該ローラーフレーム６のＵ字底外側に延長突出して吊上げ部を設けて成るローラー部５との吊上げ部と掛止用フック部下部とをリンク４を介して連設したケーブル架渉用金車において、該ケーブル架渉用金車の下向き略Ｕ字状のローラーフレーム６のＵ字底曲線に添って設ける底辺が曲線状を成してコ字状に形成した挟持フレーム８の対辺に一対の突出部をローラーフレーム６を越して吊上げ部の両側に配置し、該対辺の突出部間に締着部材９である取付ボルト91を橋絡して設け、挟持フレーム８の底辺両下端部に丸棒鋼をコ字状に折曲したガイドバー７を一対溶着配置し、該ガイドバー７に損傷防止処理71を施してガイドバーアタッチメントを形成し、該ガイドバー７は、ローラー61前後位置に２本ずつ垂下し、ローラー61上の通過物をローラー61谷部上に限定させることを特徴とするケーブル架渉用金車のガイドバーアタッチメント。
【発明の詳細な説明】
【０００１】
【発明の属する技術分野】
本願は電線、通信線等を延線する金車に係るものであり、特に光ファイバー線を延線するケーブル架渉用金車に取り付けるガイドバーアタッチメントに関するものである。
【０００２】
【従来の技術および発明が解決しようとする課題】
社会情勢の変化により大容量の情報通信ネットワーク構築が急がれているが、中でも光ファイバーの延線工事が急速に進んでいる。
この延線工事に採用される光ファイバー線は厚み２ｍｍ、幅５ｍｍ程度で、テンションワイヤ１本と２本の光ファイバーで並列に構成されている。
この薄平の構成の光ドロップファイバーと呼ばれる線は支持線に吊架した金車内のローラー上を引き抜き延線されるものであるが、金車のフレームとローラーの隙間に嵌まり込み損傷することが考えられた。
また、場合によっては光ファイバーの断芯も起こりうるため、何等かの対処が求められていた。
【０００３】
【課題を解決するための手段】
本願では以上のような課題を解決するため、金車のローラー上を通過する光ドロップファイバーの位置をローラー中央の谷部位置上に限定し、ローラー両側のフレームとの成す隙間に近付けないことにより、隙間への嵌まり込みを防止するものである。
このローラー中央部に線を限定して摺接させるためにローラーフレームにガイドバーアタッチメントの挟持フレームを取付けて延線時のローラー前後位置に２本ずつ垂下し、その間を線の通過範囲とするものである。
このローラーを挟んで前後一対２本のガイドバーが形成する間隔はローラーの幅方向中央谷部底近辺にあたり、上方向へはローラーフレームに添って設けた挟持フレームまでが連続した空間であり、下端は開放状態で、延線時の線のローラーよりの垂れ下がり時にもガイドバーとの接触は無いものである。
本願では、既に販売済のケーブル架渉用金車のローラーフレームに後付け可能なガイドバーアタッチメントについて開示する。
【０００４】
【実施例】
本願実施例を詳記する。
図１，２は、本願のケーブル架渉用金車のガイドバーアタッチメントを示すもので、上部に掛止用フック部１を設け、下部にケーブル等を引き通し延線するローラー61を下向き略Ｕ字状のローラーフレーム６の先端部間に配し、該ローラーフレーム６のＵ字底外側に延長突出して吊上げ部を設けて成るローラー部５との吊上げ部と掛止用フック部下部とをリンク４を介して連設したケーブル架渉用金車において、該ケーブル架渉用金車の下向き略Ｕ字状のローラーフレーム６のＵ字底曲線に添って設ける底辺が曲線状を成してコ字状に形成した挟持フレーム８の対辺に一対の突出部をローラーフレーム６を越して吊上げ部の両側に配置し、該対辺の突出部間に締着部材９である取付ボルト91を橋絡して設け、挟持フレーム８の底辺両下端部に丸棒鋼をコ字状に折曲したガイドバー７を一対溶着配置し、該ガイドバー７に損傷防止処理71を施してガイドバーアタッチメントを形成し、該ガイドバー７は、ローラー61前後位置に２本ずつ垂下し、ローラー61上の通過物をローラー61谷部上に限定させる構造を有している。
ガイドバー７は、丸棒鋼をコ字状に折曲し、ローラー中央部に線を限定して摺接させるためにローラーフレーム６に添って設ける挟持フレーム８に基部を溶着し、延線時のローラー前後位置に２本ずつ垂下し、その間を線の通過範囲とし、ローラーを挟んで前後一対２本のガイドバー７が形成する間隔はローラーの幅方向中央谷部底近辺にあたり、上方向へはローラーフレーム６に添って設けた挟持フレーム８までが連続した空間であり、下端は開放状態で、延線時の線のローラーよりの垂れ下がり時にもガイドバー７との接触はしないものである。
ガイドバー７は、上記したようにローラー前後位置に２本ずつ設けたことにより、カーブ地点での線の屈曲角度を大きくできると共に、ローラー部５の安定した傾斜が得られ光ドロップファイバーの損傷を防止することができる。
なお、ガイドバー７には、樹脂製の熱収縮チューブによるものや樹脂液に浸けてコーティングする損傷防止処理71を施したものである。
【０００５】
上記したケーブル架渉用金車は、上部に掛止用フック部を設け、下部にケーブル等を引き通し延線するローラー部を設けたもので、伸縮式の操作棒により地上よりの掛止作業およびケーブル開放作業を行なえるようにしたものであり、高所作業を無くし、墜落災害を防止する目的で、本出願人が特開平１０−２０１０３０号で開示したものであり、ここでは詳細な構造および作用・効果等は省略する。
【０００６】
本願の取付方法は、ケーブル架渉用金車のローラー部５の操作片12をバネに抗して回動すれば連設されたフック片11も共動し、ローラー軸62との係合が解かれてローラー61が開放状態となる。
そして、ローラーフレーム６の上側の吊上げ部分に、挟持フレーム８を当てがいローラーフレーム６を挟み、締着部材９の取付ボルト91で締着固定するものである。
【０００７】
本願のケーブル架渉用金車の使用にあたっては、まずケーブル保持ローラー部５の操作片12をバネに抗して回動すれば連設されたフック片11も共動し、ローラー軸62との係合が解かれローラー61が開放状態となる。
細径の曳きロープあるいはメッセンジャーワイヤなどをガイドバー７間に配置し、ローラー61を下方より上方へ押圧すれば、ローラー軸62はフック片11の斜面上を滑り両者はワンタッチ動作で係合され、ローラー上に配置することができる。
次に伸縮式の操作棒先端のフックでキャップ開放環３を吊上げ、開閉キャップ２を回動して鉤口を開放し、支持線や幹線への掛止を行なう。
その後、操作棒をキャップ開放環３より外すことによって、開閉キャップ２とリンク４を介して接続されたローラー部５の荷重が作用して開閉キャップ２が鉤口閉鎖方向へ回動し、さらに支持線や幹線を下方より押圧し、支持線上の位置を保って移動しないものである。
以上のようにして順次操作棒で吊上げて掛止し、幹線の分岐箱より個人宅の軒先間に数箇所程度吊下げ配置し、曳きロープの後端に光ドロップファイバーＣの先端を連結しても良いし、予め光ドロップファイバーＣ（軽量なため）をケーブル架渉用金車のローラー部に挿入しておいても良く、適時工事状況によって、選択して延線することができるものである。
【０００８】
【発明の効果】
以上のように本願のガイドバーアタッチメントをケーブル架渉用金車に取り付けることにより、細径の光ドロップファイバー線の移動を制限し、フレームとローラーの隙間に入らないようにして損傷および断芯事故を無くすことができる。
また、本願は既に使用中のケーブル架渉用金車に後付するアタッチメントであるので、普通の電話線の延線時にも使用できるので経済的である。
また、使用方法も従来と同等で、地上よりの操作で行なえるので、高所作業をしなくてすみ、墜落災害の発生もなくなる。
【図面の簡単な説明】
【図１】本願ガイドバーアタッチメントの斜視図。
【図２】本願ガイドバーアタッチメントの取付状態斜視図。
【図３】本願ガイドバーを直接取付けたケーブル架渉用金車の正面図。
【図４】本願ガイドバーを直接取付けたケーブル架渉用金車の右側面図。
【符号の説明】
１  掛止用フック部
２  開閉キャップ
３  キャップ開放環
４  リンク
５  ローラー部
６  ローラーフレーム
７  ガイドバー
８  挟持フレーム
９  締着部材
10  軸支持材
11  フック片
12  操作片
61  ローラー
62  ローラー軸
71  損傷防止処理
91  取付ボルト
Ｃ  光ドロップファイバー線
【図１】
0003652319.tif 000002
【図２】
0003652319.tif 000003
【図３】
0003652319.tif 000004
【図４】
0003652319.tif 000005